(57)【特許請求の範囲】
【請求項１】
バックライトユニットであって、
Ｍ個（ここで、Ｍは２以上の自然数）の層で互いに所定の間隔で離隔するように配置された複数の導光板と、
前記各導光板の少なくとも一側面に配置され、個別に明るさを調節することができるＮ個（ここで、Ｎは２以上の自然数）の光源ブロックを有する光源部とを有し、
前記各導光板は、前記光源部との距離に基づき複数の領域に区分され、前記複数の領域の内の一部の領域に出光パターンを形成することによって定義される複数の出光領域と、
前記各導光板に形成され、前記光源部から入射した光が前記一側面と垂直した方向である第３方向に進むように案内する複数の光ガイドパターンとを含み、
前記複数の出光領域は、前記導光板の積層方向において互いに重なることなく、前記導光板の全面（ｗｈｏｌｅ  ｓｕｒｆａｃｅ）に対応するように配置され、
前記光ガイドパターンは、前記第３方向に延長された形状を有し、一つの方向に間隔をおいて断続的に形成され、
前記光ガイドパターンと前記出光パターンは、互いに接しないように交互に繰り返して配置されることを特徴とするバックライトユニット。
【請求項２】
前記光源部は、前記各導光板の一側面に配置され、
前記各導光板は、前記光源部との距離に基づきＭ個の領域に区分されることを特徴とする請求項１に記載のバックライトユニット。
【請求項３】
前記バックライトユニットは、（Ｎ×Ｍ）個の発光ブロックで駆動されることを特徴とする請求項２に記載のバックライトユニット。
【請求項４】
前記出光領域は、前記各導光板を前記光源ブロックに各々対応するＮ個の領域にさらに区分することによって前記各導光板を碁盤目形状の領域に区分され、前記碁盤目形状の領域の内の一部領域に前記出光パターンを形成することによって定義されることを特徴とする請求項１に記載のバックライトユニット。
【請求項５】
前記各導光板は、前記光源部と隣接して光が入射する面である入光面と、その一端部が前記入光面と連結され光が出射される面である出光面と、その一端部が前記入光面と連結されると共に前記出光面と対向する対向面とを含み、
前記出光パターンは、前記各導光板の前記出光面又は前記対向面に複数個が形成されることを特徴とする請求項１に記載のバックライトユニット。
【請求項６】
前記出光パターンの各々は、前記対向面に対向面から出光面の方向又はその逆方向に形成された立体形状を有するか、または、前記出光面に出光面から対向面の方向又はその逆方向に形成された立体形状を有してなることを特徴とする請求項５に記載のバックライトユニット。
【請求項７】
前記出光パターンは、前記入光面から遠くなるほどその高さ、幅、及び密度の内の少なくとも一つが増加することを特徴とする請求項６に記載のバックライトユニット。
【請求項８】
前記各導光板は、前記光源部と隣接して光が入射する面である入光面と、その一端部が前記入光面と連結され光が出射される面である出光面と、その一端部が前記入光面と連結されると共に前記出光面と対向する対向面とを含み、
前記光ガイドパターンは、前記各導光板内に複数個が形成され、
前記光ガイドパターン各々は、前記出光面に出光面から対向面の方向に形成されるか、または、前記対向面に対向面から出光面の方向に形成されて光を反射し、前記光ガイドパターンの前記入光面と垂直方向の幅が前記入光面と平行方向の幅より大きいと共に前記導光板の厚さ方向の幅が前記導光板の厚さより小さいことを特徴とする請求項１に記載のバックライトユニット。
【請求項９】
前記出光パターンは、前記各導光板の前記出光面又は前記対向面に複数個が形成され、
前記光ガイドパターンと前記出光パターンとは互いに接しないように配置されることを特徴とする請求項８に記載のバックライトユニット。
【請求項１０】
バックライトユニットであって、
Ｍ個（ここで、Ｍは２以上の自然数）の層で互いに所定の間隔で離隔するように配置された複数の導光板と、
前記各導光板の互いに対向する側面に配置され、個別に明るさを調節することができるＮ個（ここで、Ｎは２以上の自然数）の光源ブロックを有する第１光源部及び第２光源部とを有し、
前記各導光板は、前記第１光源部に近い第１領域と前記第２光源部に近い第２領域とに区分され、さらに、前記第１領域及び第２領域は各々前記光源部との距離に基づき複数の小領域に区分され、前記複数の小領域の内の一部の領域に出光パターンを形成することによって定義される複数の出光領域と、
前記各導光板に形成され、前記光源部から入射した光が前記側面と垂直した方向である第３方向に進むように案内する複数の光ガイドパターンを含み、
前記複数の出光領域は、前記導光板の積層方向において互いに重なることなく、前記導光板の全面（ｗｈｏｌｅ  ｓｕｒｆａｃｅ）に対応するように配置され、
前記光ガイドパターンは、前記第３方向に延長された形状を有し、一つの方向に間隔をおいて断続的に形成され、
前記光ガイドパターンと前記出光パターンは、互いに接しないように交互に繰り返して配置されることを特徴とするバックライトユニット。
【請求項１１】
前記第１領域及び第２領域は、各々前記光源部との距離に基づきＭ個の小領域に区分されることを特徴とする請求項１０に記載のバックライトユニット。
【請求項１２】
前記バックライトユニットは、（Ｎ×２Ｍ）個の発光ブロックで駆動されることを特徴とする請求項１１に記載のバックライトユニット。
【請求項１３】
前記出光領域は、前記各導光板を前記光源ブロックに各々対応するＮ個の領域にさらに区分することによって前記各導光板を碁盤目形状の領域に区分され、前記碁盤目形状の領域の内の一部領域に前記出光パターンを形成することによって定義されることを特徴とする請求項１０に記載のバックライトユニット。
【請求項１４】
前記各導光板は、前記第１光源部及び第２光源部と各々隣接して光が入射する面である第１入光面及び第２入光面と、その両端部が前記第１入光面及び第２入光面と連結され光が出射される面である出光面と、その両端部が前記第１入光面及び第２入光面と連結されると共に前記出光面と対向する対向面とを含み、
前記出光パターンは、前記各導光板の前記出光面又は前記対向面に複数個が形成されることを特徴とする請求項１０に記載のバックライトユニット。
【請求項１５】
前記出光パターンの各々は、前記対向面に対向面から出光面の方向又はその逆方向に形成された立体形状を有するか、または、前記出光面に出光面から対向面の方向又はその逆方向に形成された立体形状を有してなることを特徴とする請求項１４に記載のバックライトユニット。
【請求項１６】
前記第１領域に属する前記出光パターンは、前記第１入光面から遠くなるほどその高さ、幅、及び密度の内の少なくとも一つが増加し、前記第２領域に属する前記出光パターンは前記第２入光面から遠くなるほどその高さ、幅、及び密度の内の少なくとも一つが増加することを特徴とする請求項１５に記載のバックライトユニット。
【請求項１７】
前記各導光板は、前記第１光源部及び第２光源部と各々隣接して光が入射する面である第１入光面及び第２入光面と、その両端部が前記第１入光面及び第２入光面と連結され光が出射される面である出光面と、その両端部が前記第１入光面及び第２入光面と連結されると共に前記出光面と対向する対向面とを含み、
前記光ガイドパターンは、前記各導光板内に複数個が形成され、
前記光ガイドパターン各々は、前記出光面に出光面から対向面の方向に形成されるか、または、前記対向面に対向面から出光面の方向に形成されて光を反射し、前記光ガイドパターンの前記入光面と垂直方向の幅が前記入光面と平行方向の幅より大きいと共に前記導光板の厚さ方向の幅が前記導光板の厚さより小さいことを特徴とする請求項１０に記載のバックライトユニット。
【請求項１８】
前記出光パターンは、前記各導光板の前記出光面又は前記対向面に複数個が形成され、
前記光ガイドパターンと前記出光パターンとは互いに接しないように配置されることを特徴とする請求項１７に記載のバックライトユニット。
【発明の詳細な説明】
【技術分野】
【０００１】
本発明は、液晶表示装置のバックライトユニットに関するものであって、より詳細にはローカルディミングが可能なエッジ型のバックライトユニットに関するものである。
【背景技術】
【０００２】
液晶表示装置（Ｌｉｑｕｉｄ  Ｃｒｙｓｔａｌ  Ｄｉｓｐｌａｙ）は現在最も広く使用されているフラットパネル表示装置（Ｆｌａｔ  Ｐａｎｅｌ  Ｄｉｓｐｌａｙ）のうち一つであって、電極が形成されている２枚の基板とその間に介在している液晶層から成る表示パネルを含み、画像を表示する装置である。
しかし、表示パネルはそれ自体が発光できない非発光性素子であるため、このような表示パネルに光を供給するバックライトユニット（Ｂａｃｋｌｉｇｈｔ  Ｕｎｉｔ）が必要である。
【０００３】
バックライトユニットは、光源ブロックの位置によってエッジ型バックライトユニットと直下型バックライトユニットに区分される。
エッジ型バックライトユニットでは光源ブロックが表示パネルの後方の一側に具備されることに対し、直下型バックライトユニットでは光源ブロックが表示パネルの後方に具備される。
【０００４】
近年、液晶表示装置のスリム化の傾向に伴い、厚さの減少に限界がある直下型バックライトユニットよりエッジ型バックライトユニットを使用する傾向にある。
【０００５】
一方、液晶表示装置の消費電力を減少させるために複数個の領域のうち必要な領域の明るさのみを変化させるローカルディミング（ｌｏｃａｌ  ｄｉｍｍｉｎｇ）技術が多様な側面から開発されている。
【０００６】
しかし、上述したエッジ型バックライトユニットでは光源ブロックが表示パネルの後方に位置するのではなく、表示パネルの後方に位置する導光板の側面に位置し、光源ブロックから放射される光が導光板の全面に拡散されるため、領域別に明るさを調節するローカルディミングを実現することが難しいという問題があった。
【発明の概要】
【発明が解決しようとする課題】
【０００７】
そこで、本発明は上記従来のバックライトユニットにおける問題点に鑑みてなされたものであって、本発明の目的は、液晶表示装置の厚さの減少とローカルディミングを可能にし消費電力の減少を可能にするバックライトユニットを提供することにある。
【課題を解決するための手段】
【０００８】
上記目的を達成するためになされた本発明によるバックライトユニットは、バックライトユニットであって、Ｍ個（ここで、Ｍは２以上の自然数）の層で互いに所定の間隔で離隔するように配置された複数の導光板と、前記各導光板の少なくとも一側面に配置され、個別に明るさを調節することができるＮ個（ここで、Ｎは２以上の自然数）の光源ブロックを有する光源部とを有し、前記各導光板は、前記光源部との距離に基づき複数の領域に区分され、前記複数の領域の内の一部の領域に出光パターンを形成することによって定義される複数の出光領域と、前記各導光板に形成され、前記光源部から入射した光が前記一側面と垂直した方向である第３方向に進むように案内する複数の光ガイドパターンとを含み、前記複数の出光領域は、前記導光板の積層方向において互いに重なることなく、前記導光板の全面（ｗｈｏｌｅ  ｓｕｒｆａｃｅ）に対応するように配置され、前記光ガイドパターンは、前記第３方向に延長された形状を有し、一つの方向に間隔をおいて断続的に形成され、前記光ガイドパターンと前記出光パターンは、互いに接しないように交互に繰り返して配置されることを特徴とする。
【０００９】
また、上記目的を達成するためになされた本発明によるバックライトユニットは、バックライトユニットであって、Ｍ個（ここで、Ｍは２以上の自然数）の層で互いに所定の間隔で離隔するように配置された複数の導光板と、前記各導光板の互いに対向する側面に配置され、個別に明るさを調節することができるＮ個（ここで、Ｎは２以上の自然数）の光源ブロックを有する第１光源部及び第２光源部とを有し、前記各導光板は、前記第１光源部に近い第１領域と前記第２光源部に近い第２領域とに区分され、さらに、前記第１領域及び第２領域は各々前記光源部との距離に基づき複数の小領域に区分され、前記複数の小領域の内の一部の領域に出光パターンを形成することによって定義される複数の出光領域と、前記各導光板に形成され、前記光源部から入射した光が前記側面と垂直した方向である第３方向に進むように案内する複数の光ガイドパターンを含み、前記複数の出光領域は、前記導光板の積層方向において互いに重なることなく、前記導光板の全面（ｗｈｏｌｅ  ｓｕｒｆａｃｅ）に対応するように配置され、前記光ガイドパターンは、前記第３方向に延長された形状を有し、一つの方向に間隔をおいて断続的に形成され、前記光ガイドパターンと前記出光パターンは、互いに接しないように交互に繰り返して配置される。
【発明の効果】
【００１１】
本発明に係るバックライトユニットによれば、エッジ型のバックライトユニットでもローカルディミングを可能にし、液晶表示装置の薄型化、及び消費電力の減少を可能にするという効果がある。
【図面の簡単な説明】
【００１２】
【図１】本発明の一実施形態による液晶表示装置の分解斜視図である。
【図２】本発明の第１の実施形態によるバックライトユニットを示す斜視図である。
【図３】本発明の第１の実施形態によるバックライトユニットを示す側面図である。
【図４】本発明の第１の実施形態によるバックライトユニットを示す平面図である。
【図５】本発明の第１の実施形態によるバックライトユニットにおいて光の進行経路を示す図である。
【図６】本発明の第１の実施形態によるバックライトユニットにおいて光の進行経路を示す図である。
【図７】本発明の第１の実施形態の変形例によるバックライトユニットを示す平面図である。
【図８】本発明の第１の実施形態の他の変形例によるバックライトユニットを示す側面図である。
【図９】本発明の第１の実施形態の他の変形例によるバックライトユニットを示す平面図である。
【図１０】本発明の第２の実施形態によるバックライトユニットを示す平面図である。
【図１１】本発明の第２の実施形態の変形例によるバックライトユニットを示す平面図である。
【図１２】導光板の対向面に形成された出光パターンを拡大して示す斜視図である。
【図１３】導光板の対向面に形成された出光パターンを拡大して示す側面図である。
【図１４】導光板の対向面に形成された出光パターンを拡大して示す平面図である。
【図１５】出光パターンの変形例を示す側面図である。
【図１６】出光パターンの変形例を示す平面図である。
【図１７】出光パターンの変形例を示す平面図である。
【図１８】本発明の一実施形態によるバックライトユニットに形成される光ガイドパターンの一例を説明するための斜視図である。
【図１９】図１８に示す斜視図のＡ−Ａ’線に沿って切断した断面図である。
【図２０】図１８に示す斜視図のＢ−Ｂ’線に沿って切断した断面図である。
【図２１】本発明の一実施形態によるバックライトユニットに形成される光ガイドパターンの他の一例を説明するための斜視図である。
【図２２】導光板に光ガイドパターンが形成されていない場合の斜視図である。
【図２３】図２２のＢ−Ｂ’線に沿って切断した断面の実際の光分布を測定した写真である。
【図２４】導光板に光ガイドパターンが形成されている場合の斜視図である。
【図２５】図２４のＤ−Ｄ’線に沿って切断した断面の実際の光分布を測定した写真である。
【図２６】出光パターンと光ガイドパターンが配置される例を示すための平面図である。
【図２７】出光パターンと光ガイドパターンが配置される例を示すための平面図である。
【図２８】本発明の一実施形態によるバックライトユニットに形成されるレンチキュラ型光ガイドパターンの一例を説明するための斜視図である。
【図２９】本発明の一実施形態によるバックライトユニットでローカルディミングが具現されることを示す実験例を説明するための導光板を上部から見たときの実際の光分布を測定した写真である。
【図３０】本発明の一実施形態によるバックライトユニットでローカルディミングが具現されることを示す実験例を説明するための導光板を上部から見たときの実際の光分布を測定した写真である。
【図３１】本発明の一実施形態によるバックライトユニットでローカルディミングが具現されることを示す実験例を説明するための導光板を上部から見たときの実際の光分布を測定した写真である。
【図３２】本発明の一実施形態によるバックライトユニットでローカルディミングが具現されることを示す実験例を説明するための導光板を上部から見たときの実際の光分布を測定した写真である。
【図３３】本発明の第１の実施形態のまた他の変形例によるバックライトユニットを示す平面図である。
【図３４】本発明の第２の実施形態のまた他の変形例によるバックライトユニットを示す平面図である。
【図３５】本発明の一実施形態によるバックライトユニットに形成されるプリズム型光ガイドパターンの一例を説明するための斜視図である。
【発明を実施するための形態】
【００１３】
次に、本発明に係るバックライトユニットを実施するための形態の具体例を図面を参照しながら説明する。
【００１４】
本発明の目的は、以下に開示される実施形態に限定されず、相異なる多様な形態によっても達成可能である。したがって、以下の実施形態は単に、本発明の開示を完全になるようにし、当業者に本発明の範囲を認識させるために提供するものである。すなわち、本発明の範囲はあくまで、請求項に記載された発明によってのみ規定される。なお、いくつかの実施形態において、公知の工程、段層、構造及び技術は、本発明が不明瞭に解釈されるのを避けるために、説明を省略する。明細書全体において同一参照符号は同一構成要素を指称する。
【００１５】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示すように、一つの素子または構成要素と異なる素子または構成要素との相関関係を容易に記述するために使用されてもよい。空間的に相対的な用語は、図面に示す方向に加え、使用時または動作時における素子の互いに異なる方向を含む用語として理解されなければならない。例えば、図面に示している素子を裏返す場合に、他の素子の「下（ｂｅｌｏｗ）」または「下（ｂｅｎｅａｔｈ）」と記述した素子は、他の素子の「上（ａｂｏｖｅ）」に置かれ得る。したがって、例示的な用語である「下」は、下と上の方向をすべて含み得る。素子が他の方向に配向された場合も、これにより空間的に相対的な用語は配向に応じて解釈することができる。
【００１６】
本明細書で使用される用語は実施形態を説明するためのものであり、本発明を制限しようとするものではない。本明細書で、単数形は文言に特別に言及しない限り複数形も含む。本明細書において「含む（ｃｏｍｐｒｉｓｅｓ）」または「含む（ｃｏｍｐｒｉｓｉｎｇ）」を使用した場合は、言及された構成要素、段層、動作および素子は、一つ以上の他の構成要素、段層、動作および／または素子の存在または追加を排除するものではない。
【００１７】
特に定義していない場合には、本明細書で使用されるすべての用語（技術および科学的用語を含む）は本発明の属する技術分野で通常の知識を有する者に共通に理解できる意味で使用され得るものである。また一般的に使用される辞典に定義されている用語は、明白に特に定義されていない限り理想的にまたは過度に解釈されない。
【００１８】
図１は、本発明の一実施形態による液晶表示装置の分解斜視図である。
図１を参照すると、液晶表示装置１００は大きく画像を表示する表示パネル部１２０と、表示パネル部１２０に光を提供するバックライトユニット１５０を含み、これらを固定または収納するための構成要素（図面符号１１０、１３０、１７０を参照）と要求される光学シート（図面符号１４０、１６０を参照）をさらに含む。
【００１９】
具体的には、表示パネル部１２０は薄膜トランジスタと画素電極などが形成された下部基板１２１と、下部基板１２１に対向してカラーフィルタと共通電極などが形成された上部基板１２２と、下部基板１２１と上部基板１２２との間に介在する液晶層（図示せず）を含み形成される。この液晶層を駆動させることによって表示パネル部１２０を介して画像を表示することができる。このような表示パネル部１２０の外周にはモールドフレーム１３０が具備されて表示パネル部１２０を支持する役割を果たす。
【００２０】
バックライトユニット１５０は、表示パネル部１２０の下部に位置し、光源ブロックから生成された光を表示パネル部１２０に伝達する導光板１５１、及び導光板１５１の側面に配置されて光を生成する複数個の光源ブロックを有する光源部１５３を含む。
【００２１】
本実施形態のバックライトユニット１５０の導光板１５１は少なくとも２層（枚）以上で配列され、光源部１５３はこのような導光板１５１の一側面または両側面に配置される。また、導光板１５１には光の出光領域を調節するための出光パターン（図示せず）が形成され、これに加え、光の進行方向をガイドするためのガイドパターン（図示せず）が形成されてもよい。これについては後述する。
【００２２】
再び図１を参照すると、バックライトユニット１５０と表示パネル部１２０との間には導光板１５１から出射された光を制御するための光学シート部１４０が配置される。
光学シート部１４０は導光板１５１から出射された光を拡散する拡散シート１４５と、拡散シート１４５によって拡散された光を表示パネル部１２０方向に集光、集束させるプリズムシート１４３と、プリズムシート１４３を保護するための保護シート１４１を含む。
しかし、光学シート部１４０に含まれる光学シートの枚数や配列は本実施形態に限定されず、必要に応じて光学シートのうち一部を省略するか、または複数枚重ねてもよく、順序が変わってもよい。
【００２３】
バックライトユニット１５０の下部には、表示パネル部１２０に進行しない光を反射させて表示パネル部１２０の方向に光の経路を変更させるための反射シート１６０が配置される。
【００２４】
反射シート１６０の下部には、上述した表示パネル部１２０、光学シート部１４０、バックライトユニット１５０、反射シート１６０などを収納するためのボトムシャーシ１７０が配置される。また、表示パネル部１２０の上部には画像の表示領域を露出させる開口を有しボトムシャーシ１７０と結合するトップシャーシ１１０が配置される。
【００２５】
以下では本発明の実施形態によるバックライトユニットについて説明するため、液晶表示装置のうち、導光板及び光源ブロックのみを別途に示す図面を参照する。
図面を説明する前に、本発明の第１の実施形態によるバックライトユニットについて簡略に説明すると、複数の導光板が互いに異なる層状に配置され、各層の導光板ごとに少なくとも一側面に１個以上の光源ブロックを含む光源部が配置される。
ここで、一つの光源部に含まれる光源ブロックの個数がＮ個であり、導光板の層数（枚数）がＭ個であるとするとき、以下で説明するように導光板の領域が区分され、区分された領域の一部に出光パターンが形成される。
【００２６】
光源部が導光板の一側に配置される場合、各層の導光板は光源部からの距離に基づいてＭ個の領域に区分される。
または、光源部が導光板の両側に配置される場合、各層の導光板は光源部間の中心線を基準にして二つの領域すなわち、導光板の一側面に配置される光源部に近い第１領域と、導光板の他側面に配置される光源部に近い第２領域とに区分され、第１領域及び第２領域は、各々光源部からの距離に基づいてＭ個の領域にさらに区分され、結局、総数２Ｍ個の領域に区分される。
【００２７】
このＭ個の領域には次のような条件によって出光パターンが形成される。
すなわち、一つの層の導光板にはＭ個の領域のうち選択された一つの領域（光源部が導光板の両側に配置される場合には第１領域に属するＭ個の領域のうち選択された一つの領域と、第２領域に属するＭ個の領域のうち選択された一つの領域を意味する）に複数個の出光パターンが形成されるが、導光板の厚さ方向又は積層方向において、一つの層の導光板の出光パターンが形成された領域は、他の層の導光板の出光パターンが形成された領域とは重畳せず、導光板の上部すなわち、表示パネル側から導光板を見るとき、表示パネルに対応する導光板の全面（ｗｈｏｌｅ  ｓｕｒｆａｃｅ）に出光パターンが配置されたように、すなわち、各導光板の出光パターンが形成された領域の面積の和が表示パネルに対応する導光板の全体面積と一致するように形成される。
【００２８】
上記のような構造を有するバックライトユニットは、光源部が導光板の一側面に配置される場合には（Ｎ×Ｍ）個の発光ブロックで駆動させることができ、光源部が導光板の両側面に配置される場合には（Ｎ×２Ｍ）個の発光ブロックで駆動させることができる。
これは表示パネル側から導光板を見たとき、導光板が対応する表示ブロックに光を提供するＮ行Ｍ列またはＮ行２Ｍ列の発光ブロックに分けられ、この発光ブロックは各々別個に明るさが調節できることを意味する。すなわち、２次元ローカルディミングが可能である。
【００２９】
このような構造のバックライトユニットの例と、これらのバックライトユニットでのローカルディミング方法について、図２〜図９を参照してより詳細に説明する。
以下の図面では光源部が導光板の両側に配置された場合を示しているが、本発明はこれに限定されず、光源部が導光板の一側に配置される場合にも同様に適用することができる。
【００３０】
図２〜図４は、各々本発明の第１の実施形態によるバックライトユニットを示す斜視図、側面図、及び平面図である。
特に、図４の平面図は、実際は互いに異なる層に配置される導光板及び光源ブロックを便宜上同一の平面に並列して示すものである。本発明の第１の実施形態によるバックライトユニットは（４×４）個の発光ブロックで駆動されるバックライトユニットを示している。
【００３１】
図２〜図４を参照すると、本発明の第１の実施形態によるバックライトユニット２００は２層に配列された導光板すなわち、上層導光板２１０及び下層導光板２４０と、上層導光板２１０の両側面に配置された第１上層光源部２２０ａ及び第２上層光源部２２０ｂと、下層導光板２４０の両側面に配置された第１下層光源部２５０ａ及び第２下層光源部２５０ｂを含む。
このような上層導光板２１０及び下層導光板２４０は導光板の上方すなわち、表示パネル（図示せず）側から見たとき、一つの導光板のみが存在するように互いに重なっており、導光板の厚さ方向（第２方向、図２参照）に対し所定の間隔で離隔され、その間にはエアーギャップ（ａｉｒ  ｇａｐ）が存在する。
【００３２】
前述したように導光板の層数（Ｍ）と発光ブロックの列の個数（２Ｍ）は互いに関連するため、本実施形態において導光板は２層で配列されることを示す。
【００３３】
また、前述したように一つの光源部に含まれる光源ブロックの個数（Ｎ）と発光ブロックの行の数（Ｎ）は互いに関連するため、本実施形態において各光源部は各々４個の光源ブロックを含む。
すなわち、第１上層光源部２２０ａは上層導光板２１０の左側面に沿って配列される４個の光源ブロックすなわち、第１光源ブロック〜第４光源ブロック（２２１ａ〜２２４ａ）を含み、第２上層光源部２２０ｂは上層導光板２１０の右側面に沿って配列される第１光源ブロック〜第４光源ブロック（２２１ｂ〜２２４ｂ）を含み、第１下層光源部２５０ａは下層導光板２４０の左側面に沿って配列される第１光源ブロック〜第４光源ブロック（２５１ａ〜２５４ａ）を含み、第２下層光源部２５０ｂは下層導光板２４０の右側面に沿って配列される第１光源ブロック〜第４光源ブロック（２５１ｂ〜２５４ｂ）を含む。
以下では説明の便宜のため、光源ブロック（２２１ａ〜２２４ａなど）が配列される方向を図面に示した第１方向として示す。
【００３４】
ここで、光源ブロックは、独立的に駆動されるかどうかによって区分される。すなわち、実際に一つの光源が一つの光源ブロックを構成することもでき、または複数個のランプ又は発光素子が一つの光源ブロックを構成することもできる。
【００３５】
上層導光板２１０は、第１上層光源部２２０ａ及び第２上層光源部２２０ｂから入射した光をバックライトユニット２００の上方に配置された表示パネル部（図示せず）にガイドする役割を果たし、四角形の板形状からなる。このような上層導光板２１０は第１上層光源部２２０ａ及び第２上層光源部２２０ｂと隣接して光が入射する面である第１入光面２１０ａ及び第２入光面２１０ｂと、その両端部が第１入光面２１０ａ及び第２入光面２１０ｂと連結され入射された光を出射する面である出光面２１０ｃと、この出光面２１０ｃに対向してその両端部が第１入光面２１０ａ及び第２入光面２１０ｂと連結される対向面２１０ｄを含む。このうち、出光面２１０ｃと対向面２１０ｄが最も広く形成されて上層導光板２１０の前面と後面になり、それによって出光面２１０ｃと対向面２１０ｄとの間の距離は上層導光板２１０の厚さ（ｔ１）となる。この厚さ（ｔ１）は１．５ｍｍ以下であるのが好ましい。
【００３６】
下層導光板２４０は、第１下層光源部２５０ａ及び第２下層光源部２５０ｂから入射した光を表示パネル部にガイドする役割を果たすものであって、上層導光板２１０と実質的に同一な形状を有する。すなわち、下層導光板２４０は第１入光面２４０ａ及び第２入光面２４０ｂと、出光面２４０ｃ及び対向面２４０ｄを含み、その厚さは図面符号“ｔ２”で示す。この厚さ（ｔ２）は１．５ｍｍ以下であるのが好ましい。
以下では説明の便宜のため、導光板の厚さ方向あるいは積層方向を第２方向と称し、入光面に垂直な方向を第３方向と称す。参考までに、入光面（２１０ａ、２１０ｂなど）に平行な方向は前述した第１方向と同じである。
【００３７】
ここで、導光板（２１０、２４０）は、第３方向において二つの領域に区分され、この二つの領域のうち導光板（２１０、２４０）の左側に位置する領域を第１領域（Ａ１）と称し、右側に位置する領域を第２領域（Ａ２）と称する。
【００３８】
上述したように第１領域（Ａ１）及び第２領域（Ａ２）は、各々第３方向において導光板の層数（枚数）（Ｍ）と同一のＭ個の領域に区分される。したがって、本実施形態において第１領域（Ａ１）及び第２領域（Ａ２）は各々第３方向において２個の小領域にさらに区分される。
従って図２〜４には、第１領域（Ａ１）に属する２個の小領域を図面符号（Ａ１−１）、（Ａ１−２）で示し、第２領域（Ａ２）に属する２個の小領域を図面符号（Ａ２−１）、（Ａ２−２）で示す。
【００３９】
また、このような領域区分は出光パターンの形成のためのものである。
出光パターンとは、導光板の主に対向面に形成され、導光板内で進行する光を反射させることによって出光パターンが形成された領域に対応する出光面に光を出射するようにするパターンをいう（これについての詳細な説明は、後述の図１２〜１７での説明を参照。）。出光パターンが形成された領域を以下、出光領域と称する。ただし、本発明はこれに限定されず、出光パターンは出光面に形成されてもよい。
【００４０】
上述したように出光パターンは次のような条件を満たし、導光板を区分する小領域のうち選択された領域に形成される。
すなわち、一層の導光板では第１領域（Ａ１）に属する小領域（Ａ１−１、Ａ１−２）のうち選択された一つの領域と、第２領域（Ａ２）に属する小領域（Ａ２−１、Ａ２−２）のうち選択された一つの領域に複数個の出光パターンが形成されるが、いずれか一つの層の導光板に出光パターンが形成された領域は、他の層の導光板に出光パターンが形成された領域と重畳しない。
【００４１】
出光パターンの形成条件によって、本実施形態において上層導光板２１０では小領域（Ａ１−１）に第１上層出光パターン２３０ａが複数個形成され、小領域（Ａ２−２）に第２上層出光パターン２３０ｂが複数個形成される。下層導光板２４０では小領域（Ａ１−２）に第１下層出光パターン２６０ａが複数個形成され、小領域（Ａ２−１）に第２下層出光パターン２６０ｂが複数個形成される場合を示す。さらに、このような出光パターン（２３０ａ、２３０ｂ、２６０ａ、２６０ｂ）が導光板（２１０、２４０）の対向面（２１０ｄ、２４０ｄ）に形成されている場合を示す。
【００４２】
本実施形態によれば、第２方向において上層導光板２１０の出光領域である小領域（Ａ１−１、Ａ２−２）と下層導光板２４０の出光領域である小領域（Ａ１−２、Ａ２−１）は互いに重ならず、導光板の全面に出光パターンが配置されたように見れることが分かる。
しかし、本発明は本実施形態に限定されず、上記出光パターン形成条件を満たせば、出光パターンが形成される領域はいくらでも変更することができる。
【００４３】
上記構造を有するバックライトユニット２００が（４×４）個の発光ブロック（Ｍ＝２、Ｎ＝４）で駆動する方法を以下の図５及び図６を参照して詳細に説明する。
図５及び図６は、本発明の第１の実施形態によるバックライトユニットで光の進行経路を示す図である。
【００４４】
図５及び図６を参照すると、バックライトユニット２００に含まれたすべての光源ブロック（２２１ａ〜２２４ａ、２２１ｂ〜２２４ｂ、２５１ａ〜２５４ａ、２５１ｂ〜２５４ｂ）をオン（ＯＮ）状態にすると、光源ブロック（２２１ａ〜２２４ａ、２２１ｂ〜２２４ｂ、２５１ａ〜２５４ａ、２５１ｂ〜２５４ｂ）各々から出射された光は矢印のような進行経路を有する。
【００４５】
より詳細には、導光板（２１０、２４０）の内部に入射した光は主に入光面（２１０ａ、２１０ｂ、２４０ａ、２４０ｂ）と垂直な第３方向に導光板（２１０、２４０）の内部を進行中に出光パターン（２３０ａ、２３０ｂ、２６０ａ、２６０ｂ）に接すると、反射されて光の経路が出光面（２１０ｃ、２４０ｃ）の方向に変わる。それによって、導光板（２１０、２４０）の内部を進行していた光の大部分は出光パターン（２３０ａ、２３０ｂ、２６０ａ、２６０ｂ）が形成された領域から表示パネルが位置する上方に進行方向を変えて対応する出光面（２１０ｃ、２４０ｃ）から出射する。出光面（２１０ｃ、２４０ｃ）から出射された光は、前述した光学シート（図示せず）を介して表示パネル方向に集光、集束させる（図５の点線矢印を参照）。
【００４６】
特に、導光板（２１０、２４０）の内部を進行していた光の大部分は最初に接する出光パターンから上方に進行方向を変える。言い換えれば、導光板（２１０、２４０）の左側面に配置された光源部（２２０ａ、２５０ａ）から各々入射された光の大部分は光源部（２２０ａ、２５０ａ）から近い出光パターン（２３０ａ、２６０ａ）で各々反射され、対応する出光面（２１０ｃ、２４０ｃ）から出射され、導光板（２１０、２４０）の右側面に配置された光源部（２２０ｂ、２５０ｂ）から各々入射された光の大部分は光源部（２２０ｂ、２５０ｂ）から近い出光パターン（２３０ｂ、２６０ｂ）で各々反射され、対応する出光面（２１０ｃ、２４０ｃ）から出射される。
つまり、導光板（２１０、２４０）の左側面に配置される光源部（２２０ａ、２５０ａ）は前述した第１領域（Ａ１）を担当し、導光板（２１０、２４０）の右側面に配置される光源部（２２０ｂ、２５０ｂ）は前述した第２領域（Ａ２）を担当しているといえる。
【００４７】
このような光進行経路であるため、バックライトユニット２００は（４×４）個の発光ブロックで駆動することができる。すなわち、表示パネル（図示せず）側から導光板（２１０、２４０）を見たとき、導光板（２１０、２４０）は４行４列の発光ブロックに分けられて、この発光ブロックは各々別個に明るさが調節され得る。
【００４８】
例えば、第２上層光源部２２０ｂの第２光源ブロック２２２ｂをオンさせ、他の光源ブロックをすべてオフさせると仮定する。このような場合、第２光源ブロック２２２ｂから上層導光板２１０に入射された光は第３方向に進行中に、第２上層出光パターン２３０ｂで大部分反射され、対応する出光面２１０ｃを介して出射される（図６の矢印（１）を参照）。したがって、導光板の上方から見たとき、２行３列目に該当する領域のみが他の領域に比べて明るく見える。
【００４９】
他に例をあげれば、第１下層光源部２５０ａの第４光源ブロック２５４ａ及び第２上層光源部２２０ｂの第１光源ブロック２２１ｂをオンさせ、他の光源ブロックをすべてオフさせると仮定する。このような場合、第４光源ブロック２５４ａから下層導光板２４０に入射された光は第３方向に進行中に第１下層出光パターン２６０ａで大部分反射され、対応する出光面２４０ｃを介して出射され（図６の矢印（２）を参照）、第１光源ブロック２２１ｂから上層導光板２１０に入射された光は第３方向に進行中に第２上層出光パターン２３０ｂで大部分反射され、対応する出光面２１０ｃを介して出射される（図６の矢印（３）を参照）。したがって、導光板の上方から見たとき、４行２列目及び１行３列目に該当する領域のみが明るく見える。
【００５０】
結果的に、一つの光源部、例えば、第１上層光源部２２０ａに含まれる光源ブロック（２２１ａ〜２２４ａ）各々が発光ブロックの行を区分する役割をし、上層導光板２１０に配置された出光領域である小領域（Ａ１−１、Ａ２−２）および下層導光板２４０に配置された出光領域である小領域（Ａ１−２、Ａ２−１）が発光ブロックの列を区分する役割を果たす。それによって、バックライトユニット２００に含まれる１６個の光源ブロック（２２１ａ〜２２４ａ、２２１ｂ〜２２４ｂ、２５１ａ〜２５４ａ、２５１ｂ〜２５４ｂ）は各々（４×４）個の発光ブロックと一対一でマッチングされ、オンまたはオフする光源ブロックの状態に応じてその光源ブロックが担当する発光ブロックが明るくなったり暗くなったりする。
【００５１】
本実施形態で第１上層光源部２２０ａに属する第１光源ブロック〜第４光源ブロック（２２１ａ〜２２４ａ）は各々１行１列目、２行１列目、３行１列目、４行１列目の発光ブロックを順次に担当し、第２上層光源部２２０ｂに属する第１光源ブロック〜第４光源ブロック（２２１ｂ〜２２４ｂ）は各々１行３列目、２行３列目、３行３列目、４行３列目の発光ブロックを順次に担当し、第１下層光源部２５０ａに属する第１光源ブロック〜第４光源ブロック（２５１ａ〜２５４ａ）は各々１行２列目、２行２列目、３行２列目、４行２列目の発光ブロックを順次に担当し、第２下層光源部２５０ｂに属する第１光源ブロック〜第４光源ブロック（２５１ｂ〜２５４ｂ）は各々１行４列目、２行４列目、３行４列目、４行４列目の発光ブロックを順次に担当する。
【００５２】
図２〜図６では光源部が導光板の両側に配置される場合について説明した。
しかし、前述したように光源部が導光板の一側にのみ配置されてもよく、この場合、導光板が第３方向において第１領域及び第２領域に区分されず、Ｍ個（本実施形態では、２個）の領域にのみ区分され、それによって（４×２）個の発光ブロックで駆動されることを除いては、光源部が導光板の両側に配置される場合と出光パターン形成条件や駆動方法などは実質的に同一であるため、これに対する詳細な説明は省略する。
【００５３】
言い換えれば、図２〜図６のバックライトユニット２００で光源部が導光板の一側に配置される場合、すなわち、第１上層光源部２２０ａ及び第２上層光源部２２０ｂの内のいずれか一つのみが存在し、第１下層光源部２５０ａ及び第２下層光源部２５０ｂの内のいずれか一つのみが存在する場合には、図２〜図６のバックライトユニット２００で導光板（２１０、２４０）がＡ１領域及びＡ２領域の内のいずれか一つの領域のみに区分され、それによって第１上層出光パターン２３０ａと第１下層出光パターン２６０ａ、及び第２上層出光パターン２３０ｂ及び第２下層出光パターン２６０ｂの内のいずれか一つのみを有することができる。これについては、図３３にて例示的に示す。
【００５４】
図７は、本発明の第１の実施形態の変形例によるバックライトユニットを示す平面図であって、本平面図は互いに異なる層に配置される導光板及び光源ブロックを便宜上、同一の平面に並列して示したものである。
本発明の第１の実施形態の変形例は（８×４）個の発光ブロックで駆動できるバックライトユニットの構造を示すものであって、上述した第１の実施形態と同一の部分に対しては同一の図面符号使用し、それに対する詳細な説明は省略する。
【００５５】
図７を参照すると、第１の実施形態の変形例によるバックライトユニット４００は、一つの光源部に含まれる光源ブロックの個数（Ｎ）を４から８に変えたことを除いては上述した第１の実施形態のバックライトユニット２００と同一である。これは第１の実施形態に比べ、第１の実施形態の変形例では発光ブロックの行の個数（Ｎ）のみが変化したものである。
【００５６】
すなわち、２層で配列される導光板（２１０、２４０）と、導光板（２１０、２４０）各々に出光パターン（２３０ａ、２３０ｂ、２６０ａ、２６０ｂ）が形成される領域は第１の実施形態で説明したとおりである。
【００５７】
本実施形態では、導光板（２１０、２４０）各々の両側に配置される光源部（４２０ａ、４２０ｂ、４５０ａ、４５０ｂ）は各々８個の光源ブロックを含む。すなわち、第１上層光源部４２０ａは上層導光板２１０の左側面に沿って配列される第１〜第８光源ブロック（４２１ａ〜４２８ａ）を含み、第２上層光源部４２０ｂは上層導光板２１０の右側面に沿って配列される第１〜第８光源ブロック（４２１ｂ〜４２８ｂ）を含み、第１下層光源部４５０ａは下層導光板２４０の左側面に沿って配列される第１〜第８光源ブロック（４５１ａ〜４５８ａ）を含み、第２下層光源部４５０ｂは下層導光板２４０の右側面に沿って配列される第１〜第８光源ブロック（４５１ｂ〜４５８ｂ）を含む。
【００５８】
上述したように一つの光源部、例えば、第１上層光源部４２０ａに含まれる８個の光源ブロック（４２１ａ〜４２８ａ）各々が発光ブロックの行を区分する役割を果たすため、本実施形態ではバックライトユニット８００は（８×４）個の発光ブロックで駆動させることができる。
【００５９】
図８及び図９は、本発明の第１の実施形態の他の変形例によるバックライトユニットを示す側面図及び平面図であって、図９の平面図は、互いに異なる層に配置される導光板及び光源ブロックを便宜上、同一平面に並列して示すものである。
本発明の第１の実施形態の他の変形例は（４×６）個の発光ブロックを駆動させることができるバックライトユニットの構造を示すものであって、前述した第１の実施形態と実質的に同一の部分に対しては詳細な説明は省略する。
【００６０】
図８及び図９を参照すると、第１の実施形態の他の変形例によるバックライトユニット５００で一つの光源部に含まれる光源ブロックの個数は４個であって、第１の実施形態のバックライトユニット２００と同一であるが、導光板の層の枚数や出光パターン形成のための領域の区分は第１の実施形態と異なる。これは第１の実施形態に比べ、第１の実施形態の他の変形例では発光ブロックの列の個数（２Ｍ）のみが変わったからである。
【００６１】
本実施形態のバックライトユニット５００は、３層に配列された導光板、すなわち、上層導光板５１０、中層導光板５４０、及び下層導光板５７０と、導光板（５１０、５４０、５７０）各々の両側面に配置された第１上層光源部５２０ａ及び第２上層光源部５２０ｂ、第１中層光源部５５０ａ及び第２中層光源部５５０ｂ、及び第１下層光源部５８０ａ及び第２下層光源部５８０ｂを含む。
【００６２】
光源部（５２０ａ、５２０ｂ、５５０ａ、５５０ｂ、５８０ａ、５８０ｂ）の各々は、第１の実施形態と同様に４個の光源ブロックを含む。すなわち、第１上層光源部５２０ａは第１光源ブロック〜第４光源ブロック（５２１ａ〜５２４ａ）を含み、第２上層光源部５２０ｂは第１光源ブロック〜第４光源ブロック（５２１ｂ〜５２４ｂ）を含み、第１中層光源部５５０ａは第１光源ブロック〜第４光源ブロック（５５１ａ〜５５４ａ）を含み、第２中層光源部５５０ｂは第１光源ブロック〜第４光源ブロック（５５１ｂ〜５５４ｂ）を含み、第１下層光源部５８０ａは第１光源ブロック〜第４光源ブロック５８１ａ〜５８４ａを含み、第２下層光源部５８０ｂは第１光源ブロック〜第４光源ブロック（５８１ｂ〜５８４ｂ）を含む。
【００６３】
本実施形態では、導光板（５１０、５４０、５７０）は３層で配列されるため、発光ブロックの列の数（２Ｍ）が６である。また、導光板（５１０、５４０、５７０）の各々は第３方向において導光板（５１０、５４０、５７０）の左側に位置する第１領域（Ａ１）と導光板（５１０、５４０、５７０）の右側に位置する第２領域（Ａ２）に区分される。
【００６４】
ここで、第１領域（Ａ１）及び第２領域（Ａ２）は各々第３方向において導光板の層数と同一に３個の領域に区分される。従って、図面において第１領域（Ａ１）に属する３個の小領域を図面符号（Ａ１−１）、（Ａ１−２）、（Ａ１−３）で示し、第２領域（Ａ２）に属する３個の小領域を図面符号（Ａ２−１）、（Ａ２−２）、（Ａ２−３）で示す。
【００６５】
この小領域の内から選択された領域には前述した出光パターン形成条件によって複数個の出光パターンが形成される。
すなわち、本実施形態では上層導光板５１０の小領域（Ａ１−１）と小領域（Ａ２−３）に各々第１上層出光パターン５３０ａと第２上層出光パターン５３０ｂが複数個形成され、中層導光板５４０の小領域（Ａ１−２）と小領域（Ａ２−２）に各々第１中層出光パターン５６０ａと第２中層出光パターン５６０ｂが複数個形成され、下層導光板５７０の小領域（Ａ１−３）と小領域（Ａ２−１）に各々第１下層出光パターン５９０ａと第２下層出光パターン５９０ｂが複数個形成される場合を示す。さらに、このような出光パターン（５３０ａ、５３０ｂ、５６０ａ、５６０ｂ、５９０ａ、５９０ｂ）が導光板（５１０、５４０、５７０）の対向面（５１０ｄ、５４０ｄ、５７０ｄ）に形成されている場合を示す。
【００６６】
本実施形態によれば、第２方向において上層導光板５１０の出光領域である小領域（Ａ１−１、Ａ２−３）と中層導光板５４０の出光領域である小領域（Ａ１−２、Ａ２−２）と下層導光板５７０の出光領域である小領域（Ａ１−３、Ａ２−１）は互いに重なることなく、導光板の全面にこれら出光領域が配置されているように見える。しかし、本発明は本実施形態に限定されず、出光パターン形成条件を満たせば、出光パターンが形成される領域は変更することもできる。
【００６７】
このような出光パターン（５３０ａ、５３０ｂ、５６０ａ、５６０ｂ、５９０ａ、５９０ｂ）の形成によって導光板（５１０、５４０、５７０）の内部に入射された光は、図８の矢印のような進行経路を有する。これは前述したように導光板に配置された出光パターン（５３０ａ、５３０ｂ、５６０ａ、５６０ｂ、５９０ａ、５９０ｂ）の形成領域が発光ブロックの６個列を区分する役割を果たすことができることを意味する。したがって、本実施形態ではバックライトユニット５００は（４×６）個の発光ブロックで駆動することができる。
【００６８】
本実施形態において、仮に、光源部が導光板の一側にのみ配置される場合すなわち、図８、９に示す第１上層光源部５２０ａ及び第２上層光源部５２０ｂの内のいずれか一つのみが存在し、第１中層光源部５５０ａ及び第２中層光源部５５０ｂの内のいずれか一つのみが存在し、第１下層光源部５８０ａ及び第２下層光源部５８０ｂの内のいずれか一つのみが存在する場合には、導光板（５１０、５４０、５７０）がＡ１領域及びＡ２領域の内のいずれか一つの領域のみに区分され、それによって第１上層出光パターン５３０ａと中層出光パターン５６０ａと下層出光パターン５９０ａ、及び第２上層出光パターン５３０ｂと中層出光パターン５６０ｂと下層出光パターン５９０ｂの内のいずれか一つのみを有することができ、結果的に（４×３）個の発光ブロック（Ｍ＝３、Ｎ＝４）で駆動できることは上記の説明を参照すると自明な事項であるので、図面およびそれに対する詳細な説明は省略する。
【００６９】
一方、上述した図２〜図９のような本発明の第１の実施形態によるバックライトユニットに替わり、以下のような構造のバックライトユニットが使用されてもよい。
すなわち、本発明の第２の実施形態によるバックライトユニットは、複数個の導光板が互いに異なるＭ個の層に配置され、各層の導光板ごとにその一側面または両側面にＮ個の光源ブロックを含む光源部が配置される。ここで、光源部が導光板の一側に配置される場合、各層の導光板は光源部からの距離に基づいてＭ個の領域に区分される。または、光源部が導光板の両側に配置される場合、各層の導光板は光源部の間の中心線を基準にして導光板の一側面に配置される光源部に近い第１領域と導光板の他側面に配置される光源部に近い第２領域に区分され、第１領域及び第２領域は各々光源部からの距離によってＭ個の領域にさらに区分される。ここまでは上述した本発明の第１の実施形態によるバックライトユニットと同様である。
【００７０】
これに加え、各層の導光板は、光源部配置方向に平行方向すなわち、第１方向において一つの光源部に含まれる光源ブロックに各々対応するＮ個の領域にさらに区分される。このようなＮ個の領域を各々第１〜第Ｎ光源ブロック対応領域という。結果的に、導光板は光源部が導光板一側に配置された場合にはＮ行Ｍ列の碁盤目形状の領域に区分され、光源部が導光板の両側に配置された場合にはＮ行２Ｍ列の碁盤目形状の領域に区分される。
【００７１】
このような碁盤目形状の領域には次のような条件によって出光パターンが形成される。
すなわち、一層の導光板ではＭ個の領域のうち選択された一つの領域（光源部が導光板両側に配置される場合には第１領域に属するＭ個の領域のうち選択された一つの領域と、第２領域に属するＭ個の領域のうち選択された一つの領域を意味する）、及び第ｔ光源ブロックの対応領域の共通領域に複数個の出光パターンが形成される。ここで、前記ｔ値は１〜Ｎまでの値を有する。
【００７２】
このような出光パターンは、ある一層の導光板に配置された出光領域が他の層の導光板に配置された出光領域と重畳することなく、導光板の上部すなわち、表示パネル側から導光板を見るとき、表示パネルに対応する導光板の全面に出光パターンが配置されたように見えるように形成されることは上述したとおりである。
【００７３】
上記のような構造を有するバックライトユニットは、光源部が導光板の一側面に配置される場合には（Ｎ×Ｍ）個の発光ブロックで駆動させることができ、光源部が導光板の両側面に配置される場合には（Ｎ×２Ｍ）個の発光ブロックで駆動させることができる。
このような構造のバックライトユニットの例と、これらバックライトユニットでのローカルディミング方法について、以下の図１０及び図１１を参照してより詳細に説明する。
以下の図面では光源部が導光板の両側に配置された場合を示しているが、本発明はこれに限定されず、光源部が導光板の一側に配置される場合にも同様に適用することができる。
【００７４】
図１０は、本発明の第２の実施形態によるバックライトユニットを示す平面図であって、本平面図は互いに異なる層に配置される導光板及び光源ブロックを便宜上並列にして示すものである。本発明の第２の実施形態は第１の実施形態と同様に（４×４）個の発光ブロックで駆動できるバックライトユニットの構造を示すものであって、上述した第１の実施形態と同一の部分に対しては同一の図面符号を使用し、それに対する詳細な説明は省略する。
【００７５】
図１０を参照すると、第２の実施形態のバックライトユニット６００は、導光板を碁盤目形状の領域に区分し、このような碁盤目形状の領域に出光パターンを配置する点以外は、第１の実施形態のバックライトユニット２００と同一の構造を有する。
【００７６】
すなわち、２層で配列される導光板（２１０、２４０）と、導光板（２１０、２４０）の各々の両側に配置される光源部（２２０ａ、２２０ｂ、２５０ａ、２５０ｂ）が各々４個の光源ブロックを含むことは第１の実施形態と同様である。
【００７７】
また、導光板（２１０、２４０）が第３方向において二つの領域すなわち、左側に位置する第１領域（Ａ１）及び右側に位置する第２領域（Ａ２）に区分され、このような第１領域（Ａ１）及び第２領域（Ａ２）がさらに第３方向において各々導光板（２１０、２４０）の層数と同一の個数、すなわち、２つの小領域（Ａ１−１）、小領域（Ａ１−２）、及び小領域（Ａ２−１）、小領域（Ａ２−２）に区分されることも第１の実施形態と同様である。
【００７８】
これに加え、導光板（２１０、２４０）は各々第１方向において一つの光源部に含まれる光源ブロックに各々対応する４個の領域（Ｂ１〜Ｂ４）に区分される。すなわち、上層導光板２１０は、例えば、第１上層光源部２２０ａに含まれる第１光源ブロック〜第４光源ブロック（２２１ａ〜２２４ａ）に各々対応する第１光源ブロック〜第４光源ブロックの対応領域（Ｂ１〜Ｂ４）に区分され、下層導光板２４０は例えば、第１下層光源部２５０ａに含まれる第１光源ブロック〜第４光源ブロック（２５１ａ〜２５４ａ）に各々対応する第１光源ブロック〜第４光源ブロック対応領域（Ｂ１〜Ｂ４）に区分される。
従って、導光板（２１０、２４０）は４行４列の碁盤目形状の領域に区分される。
【００７９】
このような導光板（２１０、２４０）には前述した出光パターン形成条件によって出光パターンが形成される。
すなわち本実施形態では、上層導光板２１０の第１領域（Ａ１）に属する二つの小領域（Ａ１−１、Ａ１−２）の内の選択された一つの小領域（例えば、Ａ１−１）と第１光源ブロックの対応領域（Ｂ１）との共通領域に出光パターン２３１ａが、第２領域（Ａ２）に属する二つの小領域（Ａ２−１、Ａ２−２）の内の選択された一つの小領域（例えば、Ａ２−２）と第１光源ブロック対応領域（Ｂ１）との共通領域に出光パターン２３１ｂが形成される。
【００８０】
同様に、上層導光板２１０の第１領域（Ａ１）に属する二つの小領域の内の選択された一つの小領域（例えば、Ａ１−２）と第２光源ブロックの対応領域（Ｂ２）との共通領域に出光パターン２３２ａが、第２領域（Ａ２）に属する二つの小領域の内の選択された一つの小領域（例えば、Ａ２−１）と第２光源ブロックの対応領域（Ｂ２）との共通領域に出光パターン２３２ｂが形成され、第１領域（Ａ１）に属する二つの小領域の内の選択された一つの小領域（例えば、Ａ１−１）と第３光源ブロック対応領域（Ｂ３）との共通領域に出光パターン２３３ａが、第２領域（Ａ２）に属する二つの小領域の内の選択された一つの小領域（例えば、Ａ２−２）と第３光源ブロックの対応領域（Ｂ３）との共通領域に出光パターン２３３ｂが形成され、第１領域（Ａ１）に属する二つの小領域の内の選択された一つの小領域（例えば、Ａ１−２）と第４光源ブロックの対応領域（Ｂ４）との共通領域に出光パターン２３４ａが、第２領域（Ａ２）に属する二つの小領域の内の選択された一つの小領域（例えば、Ａ２−１）と第４光源ブロックの対応領域（Ｂ４）との共通領域に出光パターン２３４ｂが形成される。
同様の方式で、下層導光板２４０に出光パターン（２６１ａ〜２６４ａ、２６１ｂ〜２６４ｂ）が形成される。
【００８１】
ここで、出光パターンが配置された出光領域は、ある一層の導光板に配置された出光領域は他の層の導光板に配置された出光領域と重畳することなく、表示パネル側から見るとき、導光板の全面に出光パターンが配置されているように見えるように形成されることは第１の実施形態で説明したものと同様である。
【００８２】
これによって、図１０では一例として上層導光板２１０では出光パターン（２３１ａ〜２３４ａ、２３１ｂ〜２３４ｂ）が互いに交互するよう（市松模様状）に配置され、下層導光板２４０では出光パターン（２６１ａ〜２６４ａ、２６１ｂ〜２６４ｂ）が互いに交互するよう（市松模様状）に配置され、上層導光板２１０の出光パターン（２３１ａ〜２３４ａ、２３１ｂ〜２３４ｂ）と下層導光板２４０の出光パターン（２６１ａ〜２６４ａ、２６１ｂ〜２６４ｂ）とは重ならないように配置される場合を示す。しかし、本発明は本図面及び実施形態に限定されず、出光パターン形成条件を満たせば、出光パターンが形成される領域は変更することができる。
【００８３】
本実施形態のように導光板（２１０、２４０）の領域を区分して出光パターンを配置する場合、導光板（２１０、２４０）内で進行する光の経路は図１０の矢印で示すとおりである。したがって、光源ブロック（２２１ａ〜２２４ａ、２２１ｂ〜２２４ｂ、２５１ａ〜２５４ａ、２５１ｂ〜２５４ｂ）の各々が（４×４）個の発光ブロックに一対一に対応し、それによって本実施形態のバックライトユニット６００が（４×４）個の発光ブロックで駆動させることができることは第１の実施形態で説明したとおりである。
【００８４】
本実施形態において、仮に光源部が導光板の一側にのみ配置される場合、すなわち、図１０の第１上層光源部２２０ａ及び第２上層光源部２２０ｂの内のいずれか一つのみが存在し、第１下層光源部２５０ａ及び第２下層光源部２５０ｂの内のいずれか一つのみが存在する場合には、導光板（２１０、２４０）が第３方向において第１領域（Ａ１）及び第１領域（Ａ２）の内のいずれか一つの領域のみに区分され、それによって出光パターン（２３１ａ〜２３４ａ、２６１ａ〜２６４ａ）及び出光パターン（２３１ｂ〜２３４ｂ、２６１ｂ〜２６４ｂ）の内のいずれか一つのみを有することができ、結果的に（４×２）個の発光ブロック（Ｍ＝２、Ｎ＝４）で駆動させることができることは前述の説明を参照すれば自明な事項である。このような構造については、図３４に例示的に示す。
【００８５】
図１１は、本発明の第２の実施形態の変形例によるバックライトユニットを示す平面図であって、本平面図は互いに異なる層に配置される導光板及び光源ブロックを便宜上並列して示すものである。
本発明の第２の実施形態の変形例は、第１の実施形態の他の変形例と同様に（４×６）個の発光ブロックで駆動させることができるバックライトユニットの構造を示すものであって、前述した第１の実施形態の他の変形例と同一の部分に対しては同一の図面符号を使用し、それに対する詳細な説明は省略する。
【００８６】
図１１を参照すると、第２の実施形態の変形例によるバックライトユニット７００は、導光板を碁盤目形状の領域に区分し、このような領域に出光パターンを配置する点の他は、第１の実施形態の他の変形例によるバックライトユニット５００と同一の構造を有する。
【００８７】
すなわち、３層で配列される導光板（５１０、５４０、５７０）と、導光板（５１０、５４０、５７０）各々の両側に配置される光源部（５２０ａ、５２０ｂ、５５０ａ、５５０ｂ、５８０ａ、５８０ｂ）が各々４個の光源ブロックを含むことは第１の実施形態の他の変形例と同様である。
【００８８】
また、導光板（５１０、５４０、５７０）が第３方向において二つの領域すなわち、左側に位置する第１領域（Ａ１）及び右側に位置する第２領域（Ａ２）に区分され、このような第１領域（Ａ１）及び第２領域（Ａ２）がさらに第３方向において各々３個の小領域（Ａ１−１、Ａ１−２、Ａ１−３、Ａ２−１、Ａ２−２、Ａ２−３）に区分されることも第１の実施形態の他の変形例と同様である。
これに加え、前述した第２の実施形態のように導光板（５１０、５４０、５７０）は各々第１方向において一つの光源部に含まれる光源ブロックに各々対応する第１光源ブロック〜第４光源ブロックの対応領域（Ｂ１〜Ｂ４）に区分される。
従って、導光板（５１０、５４０、５７０）は４行６列の碁盤目形状の領域に区分される。
【００８９】
このような導光板（５１０、５４０、５７０）に出光パターンが形成される条件は、第２の実施形態で説明したものと同様である。
図１１では一例として、上層導光板５１０の出光パターン（５３１ａ〜５３４ａ、５３１ｂ〜５３４ｂ）が順次横にずれるように配置され、中層導光板５４０の出光パターン（５６１ａ〜５６４ａ、５６１ｂ〜５６４ｂ）が順次横にずれるように配置され、下層導光板５７０の出光パターン（５９１ａ〜５９４ａ、５９１ｂ〜５９４ｂ）が順次横にずれるように配置され、上層導光板５１０の出光パターン（５３１ａ〜５３４ａ、５３１ｂ〜５３４ｂ）、中層導光板５４０の出光パターン（５６１ａ〜５６４ａ、５６１ｂ〜５６４ｂ）及び、下層導光板５７０の出光パターン（５９１ａ〜５９４ａ、５９１ｂ〜５９４ｂ）が互い重ならないように配置される場合を示す。
しかし、本発明は本実施形態に限定されず、出光パターン形成条件を満たせば、出光パターンが形成される領域は変更することは可能である。
【００９０】
本実施形態のように導光板（５１０、５４０、５７０）の領域を区分して出光パターンを配置する場合、導光板（５１０、５４０、５７０）内で進行する光の経路は図１１の矢印で示すとおりである。したがって、光源ブロック（５２１ａ〜５２４ａ、５２１ｂ〜５２４ｂ、５５１ａ〜５５４ａ、５５１ｂ〜５５４ｂ、５８１ａ〜５８４ａ、５８１ｂ〜５８４ｂ）各々が（４×６）個の発光ブロックに一対一対応し、それによって本実施形態のバックライトユニット７００が（４×６）個の発光ブロックで駆動させることができる。
【００９１】
次に、上述した出光パターンについて、図１２〜図１７を参照してより詳細に説明する。
図１２〜図１４は、導光板の対向面に形成された出光パターンを拡大して示す斜視図、側面図、及び平面図であり、図１５〜図１７は、このような出光パターンの変形例を示す側面図及び平面図である。
説明の便宜のため、図１２〜図１７は、第１の実施形態の上層導光板２１０の小領域（Ａ１−１）に形成された複数個の出光パターン２３０ａの内の一部を拡大して示すものであるが、本発明はこれに限定されず、図１２〜図１７に示す出光パターン２３０ａが本発明の他の実施形態にも適用できることは当業者において自明である。
【００９２】
まず、図１２〜図１４を参照すると、出光パターン２３０ａは導光板２１０の対向面２１０ｄに形成され、入光面２１０ａと対向する反射面を有するパターンである。このような出光パターン２３０ａは出光面２１０ｃ方向に凹形に形成されたパターンであることが好ましいが、これとは異なり、出光面２１０ｃと逆方向に凸形に形成されたパターンであってもよい。ただし、前述したように出光パターンは出光面２１０ｃにも形成することもでき、このような場合の出光パターンは対向面２１０ｄ方向に凹形のパターンであるか、または対向面２１０ｄ逆方向に凹形に形成されたパターンであってもよい。
【００９３】
導光板２１０は、その表面が鏡面である場合、光の全反射現象が発生するが、このように導光板２１０の所定領域、例えば、小領域（Ａ１−１）の対向面２１０ｄに出光パターン２３０ａを形成すると、出光パターン２３０ａの反射面から光が反射し、光の経路が出光面２１０ｃ方向に変わる。したがって、前述したように光は出光パターン２３０ａが形成された領域から集中的に出射される。
このような出光パターン２３０ａは、印刷技術やレーザ加工などによって簡単に形成することができる。
【００９４】
図１２〜図１４では、出光パターン２３０ａが半球型であり、マトリックス形状で配列した場合を示すが、本発明はこれに限定されず、出光パターン２３０ａの形状、個数、サイズ、配列方法、密度などは多様に変更してもよい。
例えば、本実施形態では出光パターン２３０ａが半球型であるが、これに限定されず、ピラミッド形状、多角柱形状、プリズム形状など多様な立体図形の形状を有することができ、それによって出光パターン２３０ａの断面形状や平面形状は、四角形、三角形など多様な形状を有することができる。また、出光パターン２３０ａはマトリックス形状で配列する代わりにジグザグに配列するか、またはランダムに配列してもよい。
【００９５】
ここで、輝度の均一性を高めるため、一つの出光領域内で出光パターン２３０ａの幅、高さ、密度を次のように調節することが好ましい。
【００９６】
一般的に入光面２１０ａから遠くなるほど輝度が落ちるため、入光面２１０ａから遠方の輝度を高めるために入光面２１０ａに垂直な方向、すなわち、前述した第３方向において入光面２１０ａから遠くなるほど一つの出光領域内に形成される出光パターン２３０ａの幅（ｗ１）、高さ（ｈ１）及び密度（単位面積当たり形成される出光パターン２３０ａの個数）の内の少なくとも一つが増加することが好ましい。
【００９７】
すなわち、図１５を参照すると、出光パターン２３０ａは入光面２１０ａから遠くなるほど高さ（ｈ１）が増加する。
また、図１６を参照すると、出光パターン２３０ａは入光面２１０ａから遠くなるほど入光面２１０ａ方向の幅（ｗ１）が増加する。
また、図１７を参照すると、出光パターン２３０ａは入光面２１０ａから遠くなるほど密度が増加する。
【００９８】
このような場合、入光面２１０ａから遠くなっても出光パターン２３０ａでの反射確率が増加して光効率が増加するため、導光板２１０の全面において全体的に輝度を均一に維持することができる。
【００９９】
一方、前述した本発明の第１の実施形態及びその変形例や第２の実施形態及びその変形例においては、光源ブロックから導光板に入射された光が入光面に垂直方向すなわち、第３方向に直進するもの（前述した平面図に示す矢印を参照）と仮定し、それに従い説明した。
しかし、実質的に光源ブロックから導光板に入射された光は入光面に垂直方向に直進しながら両側面にある程度拡散される。
【０１００】
前述したように光源ブロックは、発光ブロックの行を区分する役割を果たすが、このように光源ブロックから入射された光の側面拡散が発生する場合、発光ブロックの行が明確に区分されにくい。したがって、以下で説明するように本発明の第１の実施形態及びその変形例や第２の実施形態及びその変形例の導光板に光源ブロックから入射された光が直進するように所定のパターン（以下、光ガイドパターンと称す）を追加して形成することがより好ましい。
以下、図１８〜図２８を参照して本発明のバックライトユニットに形成される光ガイドパターンの例について説明する。
【０１０１】
図１８〜図２０は、本発明の一実施形態によるバックライトユニットに形成される光ガイドパターンの一例を説明するための斜視図、斜視図のＡ−Ａ’線に沿って切断した断面図、及び斜視図のＢ−Ｂ’線に沿って切断した断面図である。
図１８〜図２０は、第１の実施形態のバックライトユニット２００に含まれた上層導光板２１０に形成された光ガイドパターンを示すものであるが、本発明はこれに限定されず、図１８〜図２０に示す光ガイドパターンが本発明の他の実施形態にも適用できることは当業者にとって自明である。
【０１０２】
図１８〜図２０を参照すると、光ガイドパターン２８０は、導光板２１０に入射された光が側面に拡散することを防止するために光を反射させるパターンである。
本実施形態では光ガイドパターン２８０が出光面２１０ｃから対向面２１０ｄの方向に形成された場合を示すが、これとは異なり、対向面２１０ｄから出光面２１０ｃの方向に形成されてもよく、この場合には出光面２１０ｃから対向面２１０ｄの方向に形成された場合と同一の形状を有するものの対向面と出光面の位置のみが変わる場合に該当する。
【０１０３】
光ガイドパターン２８０は、入光面２１０ａに垂直方向すなわち、第３方向に相対的に長く、入光面２１０ａに平行方向すなわち、第１方向には相対的に細い幅を有するように形成される。
光ガイドパターン２８０の第３方向の幅は、符号（ｗ３）で示し、第１方向の幅は、符号（ｗ２）で示す。また、光ガイドパターン２８０は、第２方向に導光板２１０の厚さ（ｔ１）より小さい値の深さ（ｄ１）を有するように形成される。
このように光ガイドパターン２８０の第３方向の幅（ｗ３）が第１方向の幅（ｗ２）より大きくすることは、光が第３方向に直進するようにするためである。また、光ガイドパターン２８０の深さ（ｄ１）を導光板２１０の厚さ（ｔ１）より小さい値に限定することは光ガイドパターン２８０によって輝線が増加することを防止するためである。
【０１０４】
このような光ガイドパターン２８０は、導光板２１０の全領域にかけて複数個が形成されるが、光ガイドパターン２８０同士が連結しないように形成され、特に互いに平行するように形成される。
本実施形態では、光ガイドパターン２８０がマトリックス形態で配列された場合、すなわち、第３方向において一列で配列され、第１方向において同一の間隔で平行するように配列された場合を示すが、本発明はこれに限定されず、光ガイドパターン２８０の配列は変更してもよい。例えば、光ガイドパターン２８０は、互いに連結されず、互いに平行するように形成される条件を満たし、ランダムに配列してもよい（図２１参照）。このように光ガイドパターン２８０をランダムに配列すると光ガイドパターン２８０によって輝線が増加することを防止することができる。
【０１０５】
本実施形態ではＡ−Ａ’線及びＢ−Ｂ’線で切断した断面において光ガイドパターン２８０の形状が四角形である場合を示すが、本発明はこれに限定されず、光ガイドパターン２８０の断面形状は変形してもよい。すなわち、光ガイドパターン２８０の断面形状は流線型、菱形、楕円などであってもよく、光ガイドパターン２８０の第３方向の幅（ｗ３）が第１方向の幅（ｗ２）より大きければ、その形状に特に制限があるものではない。このような光ガイドパターン２８０は、印刷技術やレーザ加工などによって簡単に形成することができる。
【０１０６】
上記のように導光板に光ガイドパターンを形成すると、光ガイドパターンを形成しない場合に比べ、光源ブロックから出射された光の直進性が保障される。これは図２２及び図２３に示す比較例と図２４及び図２５に示す本実施形態例との比較で良く示すことができる。
【０１０７】
図２２は、光ガイドパターンが形成されていない導光板（ＬＧＰ１）である一つの光源ブロック（矢印を参照）をオン状態になるようにしたときに予想される光分布を示す斜視図であり、図２３は、このような場合、図２２に示すＣ−Ｃ’断面から実際の光分布を測定した写真である。
【０１０８】
図２４は、図１８〜２０に示すような光ガイドパターン（ＧＰ）が形成された導光板（ＬＧＰ２）である一つの光源ブロック（矢印を参照）をオン状態になるようにしたときに予想される光分布を示す斜視図であり、図２５は、このような場合、図２４に示すＤ−Ｄ’断面から実際の光分布を測定した写真である。
【０１０９】
図２２及び図２３に示す比較例に比べ、図２４及び図２５に示す本実施形態例では光分布がより細いことが確認され、これは光が側面方向に拡散する代わりに直進したことを示す。
【０１１０】
また、上述した図１８〜図２０には示していないが、上層導光板２１０の対向面２１０ｄには出光パターン２３０ａ、２３０ｂがすでに形成されている（図２〜図４を参照）。
したがって、このような光ガイドパターン２８０は第２方向において出光パターンと互いに重ならないように形成することが好ましく、特に、光ガイドパターン２８０が出光パターンと同一の面、例えば、対向面２１０ｄに形成される場合、光ガイドパターン２８０は出光パターンと接しないように出光パターンの間に形成することが好ましい。
【０１１１】
図２６及び図２７は、このような出光パターン２３０ａと光ガイドパターン２８０が配置される例を平面的に示すための平面図であって、上層導光板２１０の小領域（Ａ１−１）に形成された出光パターン２３０ａと光ガイドパターン２８０を拡大して示すものである。上述したように、光ガイドパターン２８０は対向面に、出光パターン２３０ａは出光面に配置される。ただし、これとは逆の配置も可能であり、二つのうちいずれか一つの面に光ガイドパターン２８０と出光パターン２３０ａがすべて配置することも可能である。
【０１１２】
図２６及び図２７を参照すると、光ガイドパターン２８０と出光パターン２３０ａは互いに接しないように交互に配置されていることが分かる。
【０１１３】
一方、上述した形態の光ガイドパターンを利用することの他にも光源ブロックが発光ブロックの行を区分する役割を果たすのに役立つ様々な形態の光ガイドパターンが提供されてもよく、これについては以下の図２８を参照して説明する。
【０１１４】
図２８は、本発明の一実施形態によるバックライトユニットに形成されるレンチキュラ型（ｌｅｎｔｉｃｕｌａｒ  ｔｙｐｅ）の光ガイドパターンの一例を説明するための斜視図である。
図２８は、第１の実施形態のバックライトユニット２００に含まれた導光板２１０上に形成されたレンチキュラ型光ガイドパターンを適用した例を示すものであるが、本発明はこれに限定されず、本図に示したレンチキュラ型光ガイドパターンが本発明の他の実施形態にも適用できることは当業者にとって自明である。
【０１１５】
図２８を参照すると、導光板２１０全面上には第１方向に、一つの光源部に含まれる光源ブロックに各々対応するＮ個のレンチキュラ型光ガイドパターンが形成される。
例えば、本実施形態では、導光板２１０の全面上に光源部２２０ａに含まれる光源ブロック（２２１ａ〜２２４ａ）に各々対応する４個のレンチキュラ型光ガイドパターン（２９１ａ〜２９４ａ）が形成される。
【０１１６】
レンチキュラ型光ガイドパターン（２９１ａ〜２９４ａ）は、各々第１方向では両端（光ガイドパターンが隣接する部位）が凹み、真ん中が凸の凸レンズ形状を有し、第３方向に延長される。このようなレンチキュラ型光ガイドパターン（２９１ａ〜２９４ａ）は導光板２１０を成す物質と同一の物質で形成することが好ましい。
【０１１７】
このようなレンチキュラ型光ガイドパターン（２９１ａ〜２９４ａ）を形成すると、導光板２１０に入射された光が主にレンチキュラ型光ガイドパターン（２９１ａ〜２９４ａ）の凸の部分から出射され、両端の凹の部分からは出射されない。
結果的に、レンチキュラ型光ガイドパターン（２９１ａ〜２９４ａ）を形成すると、前述した形態の光ガイドパターンを形成した場合と同様な光源ブロックが発光ブロックの行をより明確に区分することができる。
【０１１８】
図２８に示したレンチキュラ型の光ガイドパターン以外にもプリズム型パターン（ｐｒｉｓｍ−ｔｙｐｅ  ｐａｔｔｅｒｎ）などのマイクロパターンなどが光ガイドパターンとして採用されてもよく、これについては図３５に例示的に示す。
図３５は、三角柱形状のプリズム型パターン（２９１ａ’〜２９４ａ’）が光ガイドパターンとして採用された場合を示し、このような場合、光がプリズム型パターン（２９１ａ’〜２９４ａ’）の稜線部よりは主に面の部分から出射されるため、レンチキュラ型光ガイドパターンと同様な光の直進性を保障する。
【０１１９】
図２９〜図３２は、本発明の一実施形態によるバックライトユニットでローカルディミングが具現されることを示す実験例を説明するための導光板を上部から見たときの実際の光分布を測定した写真である。
【０１２０】
本実験例では、０．８ｍｍ厚さの導光板を２層で配列し、各層の導光板の両側面に８個ずつの光源ブロックを配置した。そして、各層の導光板には前述した図７で説明したように導光板の対向面に出光パターンを形成し、これに加え、前述した図１８〜図２７で説明したような光ガイドパターンを導光板の対向面に出光パターンと接しないように配置した。
【０１２１】
図２９〜図３２は、本実験例により形成された導光板の上部から導光板を見たときの実際の光分布を測定した写真を示すが、説明の便宜のため、光源ブロックを共に示し、２層の光源ブロックを同一の平面に示した。
ここで、導光板の両側面の光源ブロックのうち内側に配置された光源ブロックが上層導光板の両側面の光源ブロックであり、外側に配置された光源ブロックが下層導光板の両側面の光源ブロックである。図２９を参照すると、全体光源ブロックをオン状態になるようにした場合、導光板の全領域が明るいことが分かる。
【０１２２】
図３０〜図３２を参照すると、上層導光板の両側面の光源ブロックの内の一部と下層導光板の両側面の光源ブロックの内の一部をオン状態になるようにした場合、該当光源ブロックが担当する領域のみが明るくなることが分かる。
結果的として、本実験例でバックライトユニットは（８×４）個の発光ブロックで駆動させることができることが分かる。
【０１２３】
尚、本発明は、上述の実施形態に限られるものではない。本発明の技術的範囲から逸脱しない範囲内で多様に変更実施することが可能である。
【符号の説明】
【０１２４】
１００    液晶表示装置
１１０    トップシャーシ
１２０    表示パネル部
１３０    モールドフレーム
１４０    光学シート部
１５０    バックライトユニット
１６０    反射シート
１７０    ボトムシャーシ
２００、４００、５００、８００    バックライトユニット
２１０、５１０    上層導光板
２２０ａ、２２０ｂ、４２０ａ、４２０ｂ    （第１、第２）上層光源部
２２１ａ〜２２４ａ、２２１ｂ〜２２４ｂ    第１光源ブロック〜第４光源ブロック
２３０ａ、２３０ｂ    上層出光パターン
２４０、５７０    下層導光板
２５０、２５０ａ、２５０ｂ、４５０ａ、４５０ｂ    （第１、第２）下層光源部
２５１ａ〜２５４ａ、２５１ｂ〜２５４ｂ    第１光源ブロック〜第４光源ブロック
２６０ａ、２６０ｂ    下層出光パターン
【図１】
0005912017.tif 000002
【図２】
0005912017.tif 000003
【図３】
0005912017.tif 000004
【図４】
0005912017.tif 000005
【図５】
0005912017.tif 000006
【図６】
0005912017.tif 000007
【図７】
0005912017.tif 000008
【図８】
0005912017.tif 000009
【図９】
0005912017.tif 000010
【図１０】
0005912017.tif 000011
【図１１】
0005912017.tif 000012
【図１２】
0005912017.tif 000013
【図１３】
0005912017.tif 000014
【図１４】
0005912017.tif 000015
【図１５】
0005912017.tif 000016
【図１６】
0005912017.tif 000017
【図１７】
0005912017.tif 000018
【図１８】
0005912017.tif 000019
【図１９】
0005912017.tif 000020
【図２０】
0005912017.tif 000021
【図２１】
0005912017.tif 000022
【図２２】
0005912017.tif 000023
【図２３】
0005912017.tif 000024
【図２４】
0005912017.tif 000025
【図２５】
0005912017.tif 000026
【図２６】
0005912017.tif 000027
【図２７】
0005912017.tif 000028
【図２８】
0005912017.tif 000029
【図２９】
0005912017.tif 000030
【図３０】
0005912017.tif 000031
【図３１】
0005912017.tif 000032
【図３２】
0005912017.tif 000033
【図３３】
0005912017.tif 000034
【図３４】
0005912017.tif 000035
【図３５】
0005912017.tif 000036